(57)【要約】【課題】  複数のプリンタＰ１の内の１つが代表して、他のプリンタＰ２、Ｐ３の機能や性能等といった仕様をクライアントＣ１へ提供するようにして、仕様提供のための特別なサーバを設けることなく、既存のネットワーク構成により、クライアントＣ１に最適なプリンタを選択するための情報を提供する。【解決手段】  クライアントＣ１がネットワークＮ上の１つのプリンタＰ１に要求（Ｒ）すると、プリンタＰ１から、当該プリンタＰ１が他のプリンタＰ２、Ｐ３から収集（Ｓ）した仕様情報が提供され（Ｇ）、クライアントＣ１のユーザが仕様に基づいてプリンタＰ１、Ｐ２、Ｐ３の内からプリント処理を行うプリンタを選択（Ｊ）して、当該プリンタＰ２にプリントジョブを依頼する。プリンタＰ１は、クライアントからの要求があった時、又は、予め、ネットワークＮを通して他のプリンタＰ２、Ｐ３から仕様情報を取得する。【選択図】  図１
2006163795.tif 000002
【特許請求の範囲】
【請求項１】
ネットワークに接続された複数の情報処理装置の内から、クライアント装置からのジョブを実行するための情報処理装置を選択する装置選択システムであって、
クライアント装置は、ネットワーク通信を行う通信手段と、ユーザとの間の情報の入出力を行うユーザインタフェースと、を備え、
情報処理装置は、ネットワーク通信を行う通信手段と、自己の少なくとも機能情報を含む仕様を保持する自己仕様保持手段と、他の情報処理からその仕様を収集する仕様収集手段と、クライアント装置からの要求に応じて前記自己の仕様と前記他の情報処理装置の仕様を当該クライアント装置に提供する仕様提供手段と、を備え、
クライアント装置が一の情報処理装置に要求を送信することにより、当該一の情報処理装置から複数の情報処理装置の仕様を取得することを特徴とする装置選択システム。
【請求項２】
請求項１に記載の装置選択システムにおいて、
複数の情報処理装置はグループ分けされており、
前記仕様収集手段はグループ毎に仕様を収集することを特徴とする装置選択システム。
【請求項３】
請求項１又は請求項２に記載の装置選択システムにおいて、
前記仕様収集手段は、クライアント装置からの要求に応じて他の情報処理からその仕様を収集することを特徴とする装置選択システム。
【請求項４】
請求項１又は請求項２に記載の装置選択システムにおいて、
前記情報処理装置は、他の情報処理から収集した仕様を保持する他仕様保持手段を備え、
前記仕様収集手段は、所定のタイミングで他の情報処理からその仕様を収集して当該他仕様保持手段に更新保持させ、
前記仕様提供手段は、前記自己仕様保持手段に保持された自己の仕様と当該他仕様保持手段に保持された他の情報処理装置の仕様をクライアント装置に提供することを特徴とする装置選択システム。
【請求項５】
請求項１乃至請求項４のいずれか１項に記載の装置選択システムにおいて、
前記クライアント装置は、情報処理装置から提供された仕様とユーザから受け付けた仕様要求とに基づいて、当該仕様要求を満たす最適な情報処理装置を選択する選択手段を備えていることを特徴とする装置選択システム。
【請求項６】
請求項１乃至請求項５のいずれか１項に記載の装置選択システムにおいて、
前記クライアント装置は、前記仕様を提供した情報処理装置を介して、選択した他の情報処理装置に対するジョブに係る通信を行うことを特徴とする装置選択システム。
【請求項７】
ネットワークに接続された複数の情報処理装置の内から、クライアント装置からのジョブを実行するための情報処理装置を選択するための方法であって、
クライアント装置が、一の情報処理装置に要求を送信し、
当該一の情報処理装置が、自己の仕様と他の情報処理装置の仕様を当該クライアント装置に送信し、
当該クライアント装置が、受信した仕様に基づいて選択した情報処理装置に対するジョブに係る通信を行うことを特徴とする装置選択方法。
【請求項８】
請求項７に記載の装置選択方法において、
前記一の情報処理装置は、クライアント装置からの要求に応じて他の情報処理からその仕様を収集することを特徴とする装置選択方法。
【請求項９】
請求項７に記載の装置選択方法において、
前記情報処理装置は、所定のタイミングで他の情報処理からその仕様を収集して更新保持し、
前記一の情報処理装置は、自己の仕様と当該保持している他の情報処理装置の仕様をクライアント装置に提供することを特徴とする装置選択方法。
【請求項１０】
ネットワークに接続された複数の情報処理装置の内からクライアント装置が情報処理装置を選択するための仕様を提供するシステムにおける情報処理装置であって、
ネットワーク通信を行う通信手段と、自己の少なくとも機能情報を含む仕様を保持する自己仕様保持手段と、他の情報処理からその仕様を収集する仕様収集手段と、クライアント装置からの要求に応じて前記自己の仕様と前記他の情報処理装置の仕様を当該クライアント装置に提供する仕様提供手段と、を備えたことを特徴とする情報処理装置。
【請求項１１】
ネットワークに接続された複数の情報処理装置の内からクライアント装置が情報処理装置を選択するための仕様を提供するシステムにおいて、当該情報処理装置をコンピュータにより構成するプログラムであって、
ネットワーク通信を行う通信手段と、自己の少なくとも機能情報を含む仕様を保持する自己仕様保持手段と、他の情報処理からその仕様を収集する仕様収集手段と、クライアント装置からの要求に応じて前記自己の仕様と前記他の情報処理装置の仕様を当該クライアント装置に提供する仕様提供手段と、をコンピュータに構成することを特徴とするプログラム。
【発明の詳細な説明】
【技術分野】
【０００１】
本発明は、プリンタ等の複数の情報処理装置が配置されたネットワーク環境において、パーソナルコンピュータ等のクライアントからのジョブを実行する情報処理装置を選択する技術に関し、特に、情報処理装置の機能、性能、状況、設置場所等といった仕様に基づいて当該選択を行うことができる技術に関する。
【背景技術】
【０００２】
ネットワーク環境が整備されたことにより、装置間でネットワークを介してジョブに係る情報通信を行い、一方の装置から依頼されたプリント処理等のジョブを他方の装置により実行することが行われている。
すなわち、クライアント装置がネットワーク接続されるプリンタ等の情報処理装置にジョブを実行させることが行われており、クライアント装置や情報処理装置として、パーソナルコンピュータ、モバイル機器、プリンタ、スキャナ、プリンタ機能やスキャナ機能等の複数の機能を備えた複合機等、様々な装置が利用され、ジョブとして、プリント処理、スキャナ読み取り処理、データ保管処理等、様々な処理がネットワークを介して依頼される。
【０００３】
情報処理装置が複数ある場合に、いずれの情報処理装置にジョブを依頼するかについて、幾つかの発明が提案されている。
【０００４】
ユーザが印刷しようとするドキュメントを複数のプリンタ装置の内から選択したプリンタ装置によりプリント出力するために、プリンタ選択装置に各プリンタの管理情報を保持させておき、当該プリンタ選択装置がドキュメントをプリント出力するプリンタ装置を決定する発明が提案されている（特許文献１参照。）。
また、ネットワーク上に設けた複数のプリンタ装置と複数のスキャナ装置とを組み合わせて、スキャナ装置で読み取った画像を画質再現性良くプリンタ装置によりプリント出力するために、プリンタ装置とスキャナ装置との画質再現性が良い組み合わせの一覧表を予め用意しておき、当該一覧表を参照して使用するプリンタ装置とスキャナ装置とを選択する発明が提案されている（特許文献２参照。）。
【特許文献１】特開２００１―１３４３９９号公報。
【特許文献２】特開２００２―２１８１５０号公報。
【発明の開示】
【発明が解決しようとする課題】
【０００５】
例えば、クライアント端末からプリンタへプリント処理を依頼する場合、クライアント装置のユーザは、必要な機能や性能等を有したプリンタであるかを確認するために、プリンタの仕様（機能、性能、状況、設置場所等）を予め把握しておく必要がある。
しかしながら、ネットワーク上に複数のプリンタが設けられているような環境では、全てのプリンタの仕様を把握した上で最適なプリンタを選択することは困難であるという課題がある。
【０００６】
なお、上記従来の提案のように、複数のプリンタの情報をサーバにより管理し、その情報をクライアント端末に提供するという方法も考えられるが、このような方法では、サーバを構築するためのコストが嵩み、また、プリンタ情報を管理するためのメンテナンスが必要となるという課題がある。
【０００７】
本発明は、上記従来の事情に鑑みなされたもので、特別なサーバを設けることなく、既存のネットワーク構成により、クライアント装置に最適な情報処理装置の選択を可能ならしめる仕様情報を提供することを目的としている。
【課題を解決するための手段】
【０００８】
本発明は、ネットワークに接続された複数の情報処理装置の内からクライアント装置からのジョブを実行するための情報処理装置を選択する装置選択システム、このような装置選択システムを構成する情報処理装置、このような情報処理装置をコンピュータにより構成するプログラム、このような装置選択システムにより実施される方法である。
【０００９】
ここに、仕様とは、機能、性能、稼動状況、設置場所等といった情報処理装置の属性であり、例えば、プリンタについては、用紙サイズ、カラー或いはモノクロの印刷種別、印刷速度、処理待ちのジョブ量、オフィス内の設置位置等が用いられる。
クライアント装置としては、パーソナルコンピュータやモバイル機器等のように有線或いは無線で通信する機能を有した情報処理機器が用いられる。
情報処理装置としては、プリンタ装置、スキャナ装置、ファクシミリ装置、コピー装置、これら機能を複合的に備えた複合機等のドキュメント処理装置が用いられる。
【００１０】
本発明の典型的な態様である装置選択システムでは、プリンタ等の情報処理装置が、少なくとも機能情報を含む自己の仕様を保持し、また、他の情報処理からその仕様を収集して、クライアント装置からの要求に応じて、自己の仕様と他の情報処理装置の仕様を当該クライアント装置に提供する。
クライアント装置では、例えば、取得した仕様をユーザインタフェースの画面に表示してユーザに提示し、ユーザが各情報処理装置の機能等を確認して、いずれかの情報処理装置に当該クライアント装置を接続してジョブに係る通信を行う。
【００１１】
したがって、クライアント装置が要求を送信したいずれか１つ情報処理装置が、他の情報処理装置の仕様の収集してクライアント装置に提供するため、特段にサーバを設けることなく、既存のシステム構成により、クライアント装置側で最適な情報処理装置を選択するための仕様情報を提供することができる。
【００１２】
ここで、複数の情報処理装置をグループ分けし、グループ毎に仕様を収集するようにしてもよい。
例えば、ユーザが使用を許可されている情報処理装置だけのグループから収集した仕様をクライアント装置に提供したり、クライアント装置が要求を送信した情報処理装置を含むグループの仕様だけをクライアント装置に提供したりするようにしてもよい。
【００１３】
また、仕様の収集は、クライアント装置からの要求に応じて他の情報処理からその仕様を収集するようにして、情報処理装置が要求された場合に仕様の収集を行うようにしてもよい。
これにより、クライアントは最新の仕様を取得することができ、また、情報処理装置は収集した仕様を即座にクライアント装置に提供して、収集した仕様を保持するためのメモリ容量を削減することができる。
【００１４】
また、仕様の収集は、例えば一定時間毎やネットワークが空いている時といったような所定のタイミングで予め行い、収集した仕様を常時更新しながら保持するようにしてもよく、クライアント装置からの要求に応じて、当該保持した仕様を提供するようにしてもよい。
これにより、クライアント装置からの要求に対して、即座に仕様を提供することができる。
【００１５】
また、クライアント装置では、情報処理装置から提供された仕様をユーザに提示して、ユーザに必要な仕様を満たす情報処理装置を選択させるようにしてもよいが、これとは異なって、情報処理装置から提供された仕様とユーザから受け付けた仕様要求とに基づいて、クライアント装置が、仕様要求を満たす最適な情報処理装置を自動的に選択するようにしてもよい。
【００１６】
また、クライアント装置と選択された情報処理装置とを接続してジョブに係る通信をこれら装置間で行うようにしてもよいが、これとは異なって、クライアント装置と選択された情報処理装置とを直接的に通信させず、仕様を提供した情報処理装置を介して、クライアント装置と選択した情報処理装置との間でジョブに係る通信を行うようにしてもよい。
後者のようにすることにより、例えば、選択された情報処理装置がクライアント装置によって直接アクセスされることを排除することができるため、情報処理装置が配置されているネットワークのセキュリティを確保することができる。なお、この場合に、クライアント装置と仕様を提供する情報処理装置との間の通信は、例えば無線ＬＡＮのアドホックモード通信のような直接的な一対一接続で行うのが好ましい。
【発明の効果】
【００１７】
本発明によると、複数の情報処理装置の内の１つが代表して、他の情報処理装置の仕様をクライアント装置へ提供するようにしたため、仕様提供のための特別なサーバを設けることなく、既存のネットワーク構成により、クライアント装置に最適な情報処理装置選択のための仕様情報を提供することができる。
【発明を実施するための最良の形態】
【００１８】
本発明を一実施形態に基づいて具体的に説明する。
図１には本発明の一例に係る装置選択システムの概要を示してある。
本例では、ネットワークＮ上にパーソナルコンピュータＣ１、Ｃ２やプリンタＰ１、Ｐ２、Ｐ３等の種々な情報処理装置が配置されたシステム構成において、或る１つのパーソナルコンピュータをクライアントとして、複数台のプリンタＰ１、Ｐ２、Ｐ３の内からプリント処理を行うプリンタを選択する場合を説明する。
【００１９】
より具体的には、クライアントＣ１が或る１つのプリンタＰ１に要求（Ｒ）して、このプリンタＰ１から、当該プリンタＰ１が他のプリンタＰ２、Ｐ３から収集（Ｓ）した仕様情報を取得（Ｇ）し、仕様に基づいてプリンタＰ１、Ｐ２、Ｐ３の内からプリント処理を行うプリンタを選択（Ｊ）する。
【００２０】
図２には、本例のシステムに係るクライアントＣ１とプリンタＰ１との機能構成を示してある。なお、図示を省略しているが、他のクライアントやプリンタも同様な機能を有している。
クライアントＣ１は、ネットワーク通信を行う通信手段１、種々なデータ処理を行うデータ処理手段２、ユーザに情報を画面表示してまたユーザからの情報入力を受け付けるユーザインタフェース３を有している。
クライアントＣ１は、プリンタＰ１からネットワークＮを通して提供された使用をユーザインタフェース３に画面表示し、ユーザからの入力で選択されたプリンタに、データ処理手段２で処理したドキュメントデータをネットワークＮを通して送信してプリント処理させる。
【００２１】
プリンタＰ１は、ドキュメントデータに基づいてドキュメントのプリント処理を行うプリント処理手段１０に加えて、ネットワーク通信を行う通信手段１１、他のプリンタＰ２、Ｐ３からその仕様をネットワークＮを通して収集する仕様収集手段１２、自己の仕様１３及び収集した他のプリンタの仕様１４を保持するメモリ１５、クライアントＣ１からの要求に応じてメモリ１５に保持している自己仕様１３と他の仕様１４を当該クライアントＣ１にネットワークＮを通して提供する仕様提供手段１６を有している。
また、仕様提供手段１６は他のプリンタからの収集要求に応じてメモリ１３に予め設定されている自己の使用１３をネットワークＮを通して提供する。
【００２２】
なお、プリンタの上記機能手段１１、１２、１５、１６はそれぞれ専用の回路構成とすることもできるが、本例では、プリンタのコンピュータハードウエアで本発明に係るプログラムを実行することにより構成されている。
【００２３】
したがって、クライアントＣ１が、プリンタＰ１にネットワークＮを通して要求を送信すると、プリンタＰ１から自己仕様１３と他のプリンタの仕様１４を取得することができる。
また、ネットワーク接続されている複数のプリンタを同じグループＩＤを付す等して、グループ分けして設定し、クライアントＣ１がプリンタＰ１に要求を送信した場合、例えば、プリンタＰ１が自己仕様１３と自己と同じグループの他のプリンタの仕様１４を提供するようにしてもよい。なお、グループ化は、プリンタやスキャナといった情報処理装置の種類毎、設置場所が近いエリア毎、ユーザが使用できるセキュリティレベル毎といったように、目的に応じて設定すればよい。
【００２４】
通常、ユーザがクライアントＣ１から、プリンタを用いてプリント処理を行う時にはデータ処理手段２が文書作成等のアプリケーションからプリンタドライバを起動し、ユーザがインタフェース３から印刷パラメータの設定を行った上で、プリンタにドキュメントデータを含むジョブを送信してプリント処理を開始する。
本例では、プリンタドライバを起動した際に、ネットワークＮ上で収集されたプリンタに関する仕様情報をインタフェース３に表示してユーザに提示することで、ネットワークＮ上に接続されているプリンタＰ１、Ｐ２、Ｐ３の機能、性能、設置場所、稼動情報等といった情報をユーザに与え、ジョブを実行するプリンタの選択を容易にする。
【００２５】
ここで、いずれのプリンタＰ１、Ｐ２、Ｐ３がクライアントから要求を受信してもネットワークＮ上の各プリンタの仕様を提供できるように、これら各プリンタＰ１、Ｐ２、Ｐ３はそれぞれネットワーク上のプリンタの仕様情報を収集する。
このプリンタによる仕様の収集は、例えば、プリンタＰ１の仕様取得手段１２がネットワークＮを通して他のプリンタＰ２、Ｐ３に仕様要求を送信して、当該他のプリンタＰ２、Ｐ３の仕様提供手段１６がメモリ１５に保持している自己仕様１３をネットワークＮを通して返信することで行われるが、この収集タイミングは、定期的に収集処理を行って、予め仕様を収集してメモリ１５に他の使用１４として保持しておく方法と、クライアントからの要求があった時に仕様を収集する方法がある。
【００２６】
前者のように予め収集しておく方法によれば、クライアントからの要求があった時に即座に収集した仕様を提供することができる利点があり、また、後者のように要求があった時に収集する方法によれば、リアルタイムな仕様情報を提供することができ、更には、他のプリンタ仕様１４を即座にクライアントに転送することにより当該仕様１４を保持するためのメモリ１５の容量を削減することができる。
なお、使用収集手段１２がこの両方の方法を兼ね備え、通常はクライアントからの要求があってから情報収集を開始するが、ネットワークのトラフィックの状況等により仕様収集に時間がかかると予想されたときには、予め定期的に収集した仕様情報を提供するようにしてもよい。
【００２７】
クライアントＣ１がネットワークＮを通していずれかのプリンタ（プリンタＰ１）に仕様要求を送信することで、上記のように収集された使用情報を取得することができるが、この仕様の取得は、特段の仕様要求を設けずとも、クライアントＣ１がいずれかのプリンタ（プリンタＰ１）にネットワーク接続するための接続要求を兼用してもよく、クライアントから接続要求を受信したプリンタが代表してネットワーク上の仕様情報を当該クライアントに提供するようにしてもよい。
【００２８】
クライアントＣ１では、プリンタＣ１から提供された使用情報をユーザインタフェース３に表示してユーザに提示し、ユーザが表示された仕様情報に基づいてプリント処理を依頼する最適なプリンタを選択し、当該選択したプリンタにネットワーク接続して、ドキュメントデータ等のプリント処理に係る通信を行ってプリント処理を開始する。
例えば図３に示すように、クライアントＣ１のユーザインタフェース画面３には、提供された仕様情報が、各プリンタの機種名、ホスト名、カラー/白黒の印刷色タイプ、プリント速度、その他の詳細情報として一覧表示される。
【００２９】
すなわち、クライアントＣ１に表示される仕様情報として、プリンタとしての性能、機能（解像度、カラー/モノクロ、プリント速度、多面付け機能、用紙情報等）、プリンタの状態（スリープ中、抱えているジョブの数等）を表示することで、プリントしたいドキュメントに対して適切なプリントを直ちにすることができるプリンタを容易に選択することが可能となる。更には、仕様情報として、プリンタの設置されている位置情報を表示することで、近くのプリンタを選択することも可能となる。
なお、位置情報として、仕様収集時の各プリンタからの応答に要した時間と接続されている媒体が有線であるか無線であるかという情報を用いることもでき、これにより、クライアントに一番近いプリンタを選択して接続することが可能となる。
【００３０】
ここで、クライアントＣ１が取得した仕様情報に基づいて、自動的に最適なプリンタを選択するようにしてもよい。
図４に示すように、プリンタＰ１から提供された仕様と、ユーザインタフェース３からユーザにより予め設定された仕様要求（ユーザが必要とするプリンタの仕様）とに基づいて、仕様要求を満たす最適なプリンタを選択する選択手段４をクライアントＣ１設け、ユーザによる選択操作を行わずとも最適なプリンタにジョブを依頼できるようにしてもよい。
例えば、ユーザ設定によるプリント品質優先を優先するか速度を優先するかの要求情報に基づいて、ドキュメントの種類や大きさから、選択手段４が最適な出力先プリンタを判断して選択する。
【００３１】
また、図５に示すように、ユーザが所持するクライアントＣ１とプリンタＰ１との間で個別的な一対一でのアドホック接続を行い、クライアントＣ１からは他のプリンタＰ２が接続されているネットワークＮへの接続を行わせないことで、ネットワークＮのセキュリティを確保した上でネットワークプリントサービスを提供するようにしてもよい。
すなわち、クライアントＣ１は、ネットワークＮ上のプリンタについての仕様をプリンタＰ１との個別通信で取得し、ネットワークＮ上のプリンタＰ２へのジョブに係る通信は当該プリンタＰ１を介して行う。
【００３２】
クライアントＣ１とプリンタＰ１は通常のネットワーク通信を行う通信手段１１とは別に、有線又は無線による直接通信手段１７を有しており、これにより、クライアントＣ１とプリンタＰ１はネットワークＮから切り離れたアドホック通信を行って、仕様情報の授受及びジョブ情報の授受を行う。
ここで、直接通信手段１７としては、有線のＥｈｅｒｎｅｔ、無線ＬＡＮのアドホックモード通信、赤外線通信、ＵＳＢケーブル接続等を用いることができる。
【００３３】
このようにクライアントＣ１がプリンタＰ１を経由してジョブ通信を行うようにすると、ネットワークＮとの全ての通信はプリンタＰ１を介して行われるので、プリンタＰ１が許可したサービス以外は実行することができないようにすることができる。
例えば、ネットワークＮ上にあるサーバのファイルを取り出してプリントする場合、ユーザがプリンタＰ１に接続したときの認証手続きにおいて、そのサーバに対してアクセスを許してよいユーザかの判断を行い、許可されたユーザであればプリンタＰ１を経由して、ファイルのダウンロードもしくはプリントが行えるが、許可されていないユーザの場合にはサーバへのアクセスは行えず、クライアントＣ１が保持するファイルのみをプリントすることが可能となるようにすることができる。
【００３４】
また、図６に示すように、ユーザの所有するクライアントＣ１が所属するネットワークＮ１とは別の、遠隔のネットワークＮ２に接続されたプリンタＰ１２を仕様情報に基づいて選択して、当該プリンタ１２によりプリント処理を行うようにしてもよい。
この場合、ネットワークＮ１に所属するプリンタ（例えばＰ１）が、遠隔のネットワークＮ２に所属するプリンタ（例えばＰ１１）と個別通信等の方法で通信して、当該ネットワークＮ２上のプリンタについての使用情報を取得し、クライアントＣ１にネットワークＮ１とネットワークＮ２上のプリンタ仕様情報を提供する。そして、クライアントＣ１でプリンタＰ１２を選択すると、クライアントＣ１からのジョブがプリンタＰ１、Ｐ１１を介してプリンタＰ１２に送信されてプリント処理される。
【００３５】
また、ユーザのクライアントＣ１に、プリント処理を行いたい遠隔地のネットワークＮ上に接続された代表のプリンタＰ１１のアドレスが登録されており、この代表プリンタＰ１１のアドレスを近くのプリンタＰ１に持たせて、ここからネットワークＮ２アクセスするようにしてもよい。
クライアントＣ１からプリンタＰ１を介して遠隔の代表プリンタＰ１１にアクセスを行うと、上記のようにして、プリンタＰ１１が所属するネットワークＮ２上に設けられたプリンタの仕様情報の収集を行う。そして、プリンタＰ１１は収集した仕様情報をプリンタＰ１１を介してクライアントＣ１へ送ることで、ユーザは遠隔のプリンタＰ１２であっても、プリント処理先として選択することができる。
【図面の簡単な説明】
【００３６】
【図１】本発明の一例に係る装置選択システムの概要図である。
【図２】本発明の一例に係るクライアント及びプリンタの機能構成図である。
【図３】本発明の一例に係る仕様情報を説明する図である。
【図４】本発明の他の一例に係るクライアントの機能構成図である。
【図５】本発明の他の一例に係るプリンタの機能構成図である。
【図６】本発明の他の一例に係る装置選択システムの概要図である。
【符号の説明】
【００３７】
１：通信手段、  ３：ユーザインタフェース、
１１：通信手段、  １２：仕様取得手段、
１３：自己仕様情報、  １４：他の仕様情報、
１５：メモリ、  １６：仕様提供手段、
１７：直接通信手段、  Ｃ１、Ｃ２：クライアント、
Ｐ１、Ｐ２、Ｐ３、Ｐ１１、Ｐ１２：プリンタ、
Ｎ、Ｎ１、Ｎ２：ネットワーク、  Ｒ：要求、
Ｓ：仕様収集、  Ｇ：仕様提供、
Ｊ：ジョブの通信、
【図１】
2006163795.tif 000003
【図２】
2006163795.tif 000004
【図３】
2006163795.tif 000005
【図４】
2006163795.tif 000006
【図５】
2006163795.tif 000007
【図６】
2006163795.tif 000008